(57)【要約】【課題】  取付けビスやスピーカホルダーを用いることなく、キャビネットを組み立てる一連の組立工程を通じてスピーカをフロントキャビネットの底板に取り付けることを可能にする。【解決手段】  底板２１にスピーカ４０を取り付ける手段を、Ｘ軸方向位置決め手段７０と、Ｙ軸方向位置決め手段８０と、Ｚ軸方向位置決め手段９０とによって構成する。Ｘ軸方向位置決め手段７０が、スピーカ４０を左右方向で挟み付ける側板２２とリアキャビネット３０側のリブ状部材６０でなる幅寄せ片６１とを有する。Ｙ軸方向位置決め手段８０が、スピーカ４０を前後方向で挟み付ける凹所５０の周壁面５２とリブ状部材６０に設けられた段付部６３とを有する。Ｚ軸方向位置決め手段９０が、底板２１と押さえ突起５３とリブ状部材６０により構成した押さえ片６２とを有する。【選択図】        図４
2008294501.tif 000002
【特許請求の範囲】
【請求項１】
フロントキャビネットとリアキャビネットとを合わせることによって構成されているキャビネットの上記フロントキャビネットの底板にスピーカが下向きに取り付けられているテレビジョン受像機のスピーカ取付構造において、
上記底板にスピーカを取り付けている手段が、スピーカが左右方向に位置ずれすることを阻止するＸ軸方向位置決め手段と、スピーカが前後方向に位置ずれすることを阻止するＹ軸方向位置決め手段と、底板からのスピーカの浮き上がりを阻止するＺ軸方向位置決め手段と、によって構成され、
上記スピーカがリング状の縁枠部とその縁枠部から延び出た略円錐台形状の背板部とを有して上記底板に形成された凹所に嵌め込まれていると共に、
上記Ｘ軸方向位置決め手段が、互いに共働してスピーカを左右方向で挟み付ける上記フロントキャビネットの側板と上記リアキャビネットに設けられたリブ状部材でなる幅寄せ片とを有し、
上記Ｙ軸方向位置決め手段が、互いに共働してスピーカを前後方向で挟み付ける上記凹所の周壁面と上記リブ状部材に設けられた段付部とを有し、
上記Ｚ軸方向位置決め手段が、互いに共働してスピーカを垂直方向で挟み付ける上記底板と、上記凹所の周壁部に突設された押さえ突起と、上記リブ状部材により構成されて上記幅寄せ片と共用されている押さえ片と、を有して、それらの押さえ突起と押さえ片とが共働してスピーカを上記底板に押し付けるように構成されていることを特徴とするテレビジョン受像機のスピーカ取付構造。
【請求項２】
上記Ｚ軸方向位置決め手段は、上記底板上に載架されている上記縁枠部を、上記押さえ突起と上記押さえ片とが異なる箇所で上記底板に押し付けるように構成されている請求項１に記載したテレビジョン受像機のスピーカ取付構造。
【請求項３】
上記押さえ突起が上記縁枠部の異なる２箇所を押し付ける２つの突起要素に分かれている請求項２に記載したテレビジョン受像機のスピーカ取付構造。
【請求項４】
上記Ｙ軸方向位置決め手段の凹所の周壁面が円弧状の湾曲面によって形成されていて、その周壁面に嵌め込まれたスピーカの上記縁枠部が上記段付部によってその周壁面に押し付けられている請求項１ないし請求項３のいずれか１項に記載したテレビジョン受像機のスピーカ取付構造。
【請求項５】
上記Ｘ軸方向位置決め手段の幅寄せ片は、スピーカの上記縁枠部に乗り上がって略円錐台形状の上記背板部を押し付けることによって、上記縁枠部をフロントキャビネットの上記側板に押し付けている請求項１ないし請求項４のいずれか１項に記載したテレビジョン受像機のスピーカ取付構造。
【請求項６】
上記凹所は、上記フロントキャビネットの後端で開放されてその開放口から挿入したスピーカの上記縁枠部を上記底板上でスライドさせて嵌め込むことが可能な形状を有し、
上記幅寄せ片と上記押さえ突起とに共用されている上記リブ状部材は、フロントキャビネットにその背方からリアキャビネットを合わせる組立工程を行うことを通じて、上記凹所に嵌め込まれたスピーカの縁枠部に乗り上がって略円錐台形状の上記背板部を押し付け、かつ、その縁枠部を上記底板に押し付けるように構成されている請求項１ないし請求項５のいずれか１項に記載したテレビジョン受像機のスピーカ取付構造。
【発明の詳細な説明】
【技術分野】
【０００１】
本発明は、テレビジョン受像機のスピーカ取付構造、特に、キャビネットの底板にスピーカが取り付けられてなるテレビジョン受像機のスピーカの取付構造に関する。
【背景技術】
【０００２】
テレビジョン受像機のスピーカの取付場所として、キャビネットの底板を選択することは従来より公知である（たとえば、特許文献１、特許文献２、特許文献３参照）。これらの各特許文献には、キャビネットの底板にスピーカを取り付けた場合に、その音響特性を改善するための対策についても言及されている。
【０００３】
一方、従来より、キャビネットの底板にスピーカを取り付けるときには、スピーカをフロントキャビネットの底板に直接ビス止めするという方法や、スピーカホルダーを用いてスピーカをフロントキャビネットの底板に取り付ける方法などが採用されていた。
【特許文献１】特開平９−２１９８９６号公報
【特許文献２】特開平８−９８１１３号公報
【特許文献３】実開平５−６５１９６号公報
【発明の開示】
【発明が解決しようとする課題】
【０００４】
しかしながら、従来のようにスピーカをフロントキャビネットの底板に直接にビス止めする方法を採用すると、ビスが余分に必要になるだけでなく、ビス締めなどの余分な作業工程が必要になって組立工程が煩雑になりコスト面で不利になるという問題があった。また、スピーカホルダーを用いる方法を採用すると、スピーカホルダーが余分に必要になるだけでなく、スピーカをスピーカホルダーに装着する作業工程やスピーカホルダーをフロントキャビネットの底板に取り付ける作業工程が余分に必要になるので、上記同様に組立工程が煩雑になりコスト面で不利になるという問題があった。
【０００５】
そこで、本願発明者は鋭意研究を重ね、フロントキャビネットとリアキャビネットとに分かれているテレビジョン受像機のキャビネットの組立工程では、フロントキャビネットにその背方からリアキャビネットを合わせて結合するという工程が存在することに着目し、この工程を利用することによって、取付けビスやスピーカホルダーなどを用いずに、スピーカをフロントキャビネットの底板に取り付けることを課題として本発明を完成した。
【０００６】
すなわち、本発明は、キャビネットの組立工程を利用してスピーカをフロントキャビネットの底板に取り付けることが可能で、しかも、その取付けに取付けビスやスピーカホルダーなどの余分な部品を用いる必要のないテレビジョン受像機のスピーカ取付構造を提供することを目的とする。
【課題を解決するための手段】
【０００７】
本発明に係るテレビジョン受像機のスピーカ取付構造は、フロントキャビネットとリアキャビネットとを合わせることによって構成されているキャビネットの上記フロントキャビネットの底板にスピーカが下向きに取り付けられている。
【０００８】
そして、上記底板にスピーカを取り付けている手段が、スピーカが左右方向に位置ずれすることを阻止するＸ軸方向位置決め手段と、スピーカが前後方向に位置ずれすることを阻止するＹ軸方向位置決め手段と、底板からのスピーカの浮き上がりを阻止するＺ軸方向位置決め手段と、によって構成されている。
【０００９】
また、上記スピーカがリング状の縁枠部とその縁枠部から延び出た略円錐台形状の背板部とを有して上記底板に形成された凹所に嵌め込まれていると共に、上記Ｘ軸方向位置決め手段が、互いに共働してスピーカを左右方向で挟み付ける上記フロントキャビネットの側板と上記リアキャビネットに設けられたリブ状部材でなる幅寄せ片とを有し、上記Ｙ軸方向位置決め手段が、互いに共働してスピーカを前後方向で挟み付ける上記凹所の周壁面と上記リブ状部材に設けられた段付部とを有し、上記Ｚ軸方向位置決め手段が、互いに共働してスピーカを垂直方向で挟み付ける上記底板と、上記凹所の周壁部に突設された押さえ突起と、上記リブ状部材により構成されて上記幅寄せ片と共用されている押さえ片と、を有して、それらの押さえ突起と押さえ片とが共働してスピーカを上記底板に押し付けるように構成されている。
【００１０】
この構成であると、フロントキャビネットの底板に下向きに取り付けられたスピーカが互いに直交する３軸方向で位置決めされる。また、スピーカを３軸方向で位置決めするためのＸ軸方向位置決め手段、Ｙ軸方向位置決め手段及びＺ軸方向位置決め手段は、フロントキャビネットに備わっている側板や凹所、凹所の周壁面、リアキャビネットに設けられて幅寄せ片と押さえ片とに共用されているリブ状部材などによって構成されている。そのため、取付けビスやスピーカホルダーといった部品を余分に用いずにスピーカの取付けが可能になるだけでなく、取付けビスやスピーカホルダー以外の特別な部品を用いることもなくスピーカの取付けが可能になる。
【００１１】
本発明において、上記Ｚ軸方向位置決め手段は、上記底板上に載架されている上記縁枠部を、上記押さえ突起と上記押さえ片とが異なる箇所で上記底板に押し付けるように構成されていることが望ましい。これによれば、フロントキャビネットの底板からのスピーカの浮き上がりが、スピーカの縁枠部だけに作用しているＺ軸方向位置決め手段によって阻止されるために、スピーカの音響特性などがＺ軸方向位置決め手段によって損なわれにくくなるという利点がある。
【００１２】
本発明において、Ｚ軸方向位置決め手段の押さえ突起は、上記縁枠部の異なる２箇所を押し付ける２つの突起要素に分かれていてもよい。この構成を採用すると、押さえ突起による縁枠部の押付け箇所の数が２箇所になるので、スピーカのリング状の縁枠部の全体をフロントキャビネットの底板に一様な力で押し付けてその初期の音響特性を保ちやすくなる。
【００１３】
本発明では、上記Ｙ軸方向位置決め手段の凹所の周壁面が円弧状の湾曲面によって形成されていて、その周壁面に嵌め込まれたスピーカの上記縁枠部が上記段付部によってその周壁面に押し付けられていることが望ましい。これによれば、凹所の周壁面を形成している円弧状の湾曲面がスピーカのリング状の縁枠部を抱き込むために、スピーカがＸ軸方向（左右方向）に位置ずれしにくくなる。そのため、スピーカの縁枠部がリング状に形成されているとしても、Ｙ軸方向位置決め手段によってスピーカを前後方向で確実に挟み付けさせることが可能になる。
【００１４】
本発明において、上記Ｘ軸方向位置決め手段の幅寄せ片は、スピーカの上記縁枠部に乗り上がって略円錐台形状の上記背板部を押し付けることによって、上記縁枠部をフロントキャビネットの上記側板に押し付けているという構成を採用することが可能である。この構成を採用すると、スピーカの背板部の形状を利用してそのスピーカを左右方向で位置決めすることが可能になる。
【００１５】
本発明において、上記凹所は、上記フロントキャビネットの後端で開放されてその開放口から挿入したスピーカの上記縁枠部を上記底板上でスライドさせて嵌め込むことが可能な形状を有し、上記幅寄せ片と上記押さえ突起とに共用されている上記リブ状部材は、フロントキャビネットにその背方からリアキャビネットを合わせる組立工程を行うことを通じて、上記凹所に嵌め込まれたスピーカの縁枠部に乗り上がって略円錐台形状の上記背板部を押し付け、かつ、その縁枠部を上記底板に押し付けるように構成されていることが望ましい。この発明によれば、キャビネットを組み立てるのに先立ってスピーカをスライドさせてフロントキャビネットの底板の凹所に嵌め込み、その後、リアキャビネットをフロントキャビネットに合わせて結合するという一連のキャビネットの組立工程を行うだけでスピーカがフロントキャビネットの底板に下向きに取り付けられる。そのため、スピーカ自体を個別にフロントキャビネットの底板に取り付けるという手間を省略することができるようになる。
【発明の効果】
【００１６】
以上説明した本発明に係るテレビジョン受像機のスピーカ取付構造は、取付けビスやスピーカホルダーを用いることなく、キャビネットを組み立てる一連の組立工程を通じてスピーカをフロントキャビネットの底板に取り付けることが可能である。そのため、部品点数が削減され、組立工程が簡略化されて量産性が向上し、コスト面でも有利になる。特に、特に２個あるいは２個より多い複数のスピーカをフロントキャビネットの底板に取り付ける仕様になっているテレビジョン受像機にあってはその組立工程が顕著に簡略化されるようになる。
【発明を実施するための最良の形態】
【００１７】
図１は本発明の実施形態に係るテレビジョン受像機の要部を示した分解斜視図である。また、図２は図１の要部の拡大斜視図、図３はリブ状部材６０の拡大側面図、図４はスピーカ取付構造の概略平面図、図５は図４のＶ−Ｖ線に沿う部分の横断面図である。
【００１８】
このテレビジョン受像機において、キャビネット１０は、図１に示した樹脂成形体でなるフロントキャビネット２０と、同図に示した樹脂成形体でなるリアキャビネット３０とに分割されていて、それらのキャビネット２０，３０を合わせてビス止めなどの手段で結合することによって組み立てられる。また、フロントキャビネット２０の底板２１の左右対称位置に個別にスピーカ４０，４０が下向きに取り付けられるという仕様になっている。そして、それらのスピーカ４０には円形のダイナミックスピーカが採用されている。そのため、スピーカ４０には、リング状の縁枠部４１やこの縁枠部４１から延び出た略円錐台形状の背板部４２のほか、必要な部品が備わっている（図４又は図５参照）。
【００１９】
この実施形態の取付構造では、後述するＸ軸方向位置決め手段７０によってスピーカ４０の左右方向の位置ずれが阻止され、Ｙ軸方向位置決め手段８０によってスピーカ４０の前後方向の位置ずれが阻止され、Ｚ軸方向位置決め手段９０によってフロントキャビネット２０の底板２１からのスピーカ４０の浮き上がりを阻止される。したがって、フロントキャビネット２０の底板２１にスピーカ４０を取り付ける手段が、上記したＸ軸方向位置決め手段７０とＹ軸方向位置決め手段と８０とＺ軸方向位置決め手段９０とだけによって構成されていて、取付ビスやスピーカホルダーを用いる必要がなくなっている。
【００２０】
図１又は図２のように、フロントキャビネット２０の底板２１の左右対称位置のそれぞれには凹所５０が備わっている。この凹所５０は、フロントキャビネット２０の後端で開放されていて、スピーカ４０の縁枠部４１を底板２１上でスライドさせながらその開放口５１から前方に向けてスピーカ４０を嵌め込むことが可能な形状に形成されている。また、凹所５０の前端に位置している周壁面５２は、図２又は図４などによって判るように、略１／４円弧状の湾曲面によって形成されていて、その周壁面５２の曲率半径をスピーカ４０の縁枠部４１の外周面の曲率半径に一致させてある。そして、この周壁面５２に、スピーカ４０の縁枠部４１を底板２１に押し付けるための押さえ突起５３が突設されている。図２にしめしたように、この実施形態では、押さえ突起５３が、周壁面５２の周方向中央位置を挟んで略左右対称位置に個別に設けられた２つの突起要素５４，５４に分かれている。
【００２１】
これに対し、図１又は図３のように、リアキャビネット３０の底板３１の左右２箇所に、その底板３１の後端付近から前方に延び出たリブ状部材６０が樹脂で一体成形されている。そして、このリブ状部材６０の前端部が、スピーカ４０をフロントキャビネット２０の側板部２２に対して幅寄せするために役立つ幅寄せ片６１と、スピーカ４０をフロントキャビネット２０の底板２１に押し付けるために役立つ押さえ片６２と、に共用されている。また、リブ状部材６０には、幅寄せ片６１や押さえ片６２として機能する前端部に段付部６３が形成されていて、この段付部６３が、スピーカ４０を上記凹所５０の周壁面５２に押し付けることに役立つようになっている。
【００２２】
以上の構成を備えるテレビジョン受像機において、Ｘ軸方向位置決め手段７０は、フロントキャビネット２０の側板２２とリアキャビネット３０側のリブ状部材６０でなる幅寄せ片６１とを有していて、それらの側板２２と幅寄せ片６１とが共働して図４のようにスピーカ４０を左右方向（Ｘ軸方向）で挟み付けるように作用する。また、Ｙ軸方向位置決め手段８０は、フロントキャビネット２０の底板２１に形成されている凹所５０の周壁面５２とリアキャビネット３０側のリブ状部材６０に設けられた段付部６３とを有して、それらの周壁面５２と段付部６３とが共働して図４のようにスピーカ４０を前後方向（Ｙ軸方向）で挟み付けるように作用する。さらに、Ｚ軸方向位置決め手段９０は、フロントキャビネット２０の底板２１と、２つの上記突起要素５４，５４と、リアキャビネット３０側の上記リブ状部材６０でなる押さえ片６２とを有して、突起要素５４，５４と押さえ片６２とが共働してスピーカ４０を底板２１に垂直方向（Ｚ軸方向）で押し付けるように作用する。
【００２３】
そして、上記したＸ軸方向位置決め手段７０、Ｙ軸方向位置決め手段８０及びＺ軸方向位置決め手段９０の作用だけによってフロントキャビネット２０の底板２１に取り付けられたスピーカ４０にあっては、図４のように、底板２１の凹所５０にスピーカ４０が嵌め込まれている。加えて、Ｘ軸方向位置決め手段７０の上記した側板２２と幅寄せ片６１とによってスピーカ４０が左右方向で挟み付けられて位置決めされ、Ｙ軸方向位置決め手段８０の上記した凹所５０の周壁面５２とリブ状部材６０の段付部６３とによってスピーカ４０が前後方向で挟み付けられて位置決めされ、さらに、Ｚ軸方向位置決め手段９０の上記した底板２１と２つの突起要素５４，５４及びリブ状部材６０でなる押さえ片６２とによって、図５のように、スピーカ４０が垂直方向で挟み付けられて底板２１からのスピーカ４０の浮き上がりが阻止されている。
【００２４】
この実施形態のように、スピーカ４０に対するＸ軸方向位置決め手段７０、Ｙ軸方向位置決め手段８０及びＺ軸方向位置決め手段９０の作用箇所として縁枠部４１を選択しておくと、スピーカ４０の初期の音響特性を低下させることなくスピーカ４０を取り付けることが可能になる。
【００２５】
次に、スピーカ４０が取り付けられる手順を説明する。
【００２６】
最初の段階では、フロントキャビネット２０の底板２１に形成されている凹所５０にスピーカ４０を嵌め込んでスピーカ４０の縁枠部４１を凹所５０の円弧状の周壁面５２に突き当てる。このときの嵌込み作業は、スピーカ４０の縁枠部４１を底板２１上でスライドさせながらそのスピーカ４０を凹所５０の開放口５１から挿入することによって行うことができ、そのようにすると、スピーカ４０を確実かつ迅速に凹所５０に嵌め込むことが可能である。この作業を行うと、図４又は図５のように、２つの突起要素５４，５４がスピーカ４０の縁枠部４１の周方向２箇所に乗り上がる。このため、この作業を行った段階で、底板２１にスピーカ４０の縁枠部４１が２つの突起要素５４，５４によって押し付けられるために、スピーカ４０が底板２１の凹所５０に仮固定された状態になる。
【００２７】
次の段階では、フロントキャビネット２０にその背方からリアキャビネット３０を近付けて、それらのキャビネット２０，３０同士を合わせる。この作業を行うと、リアキャビネット３０側のリブ状部材６０によって共用されている幅寄せ片６１と押さえ片６２とのうちの押さえ片６２がスピーカ４０の縁枠部４１に乗り上がってその縁枠部４１を底板２１に押し付けると共に、その幅寄せ片６１がスピーカ４０の背板部４２をフロントキャビネット２０の側板２２に近付く方向に押し付ける。また、これと同時に、リブ状部材６０の段付部６３がスピーカ４０の縁枠部４１に係合してその縁枠部４１を凹所５０の周壁面５２に押し付ける。
【００２８】
以上の手順を行うと、キャビネット１０を組み立てる一連の組立工程を通じてフロントキャビネット２０の底板２１にスピーカ４０が確実に取り付けられ、その取付けのために取付けビスやスピーカホルダーを用いる必要がない。そのため、この実施形態のスピーカ取付構造を採用したテレビジョン受像機の量産性が向上することになる。
【００２９】
特に、この実施形態の取付構造を採用したテレビジョン受像機は、図１によって判るように、２個のスピーカ４０をフロントキャビネット２０の底板２１に取り付ける仕様になっているため、それらの２個のスピーカ４０を、キャビネット１０を組み立てる一連の組立工程を行うだけで同時に取り付けることができるようになって、テレビジョン受像機の量産性が顕著に高められる。
【００３０】
この実施形態のスピーカ取付構造において、リアキャビネット３０側に一体に設けられているリブ状部材６０は、リアキャビネット３０の底板３１を補強するための補強リブとしても役立つ。
【００３１】
また、図３ではリブ状部材６０をリアキャビネット３０の底板３１の前端から突き出させたものを示している。この事例で、キャビネット１０の組立工程でリアキャビネット３０の底板３１の前端をフロントキャビネット２０の底板の後端に突き合わせたときにリブ状部材６０によって形成されている幅寄せ片６１や押さえ片６２がスピーカ４０の縁枠部４１に乗り上がる。一方、図１ではリブ状部材６０の前端がリアキャビネット３０の底板３１の前端から突き出ていないものを示している。この事例では、キャビネット１０の組立工程でリアキャビネット３０をフロントキャビネット２０に合わせたときに、フロントキャビネット２０の底板２１とスピーカ４０の縁枠部４１とが、リアキャビネット３０の底板３１とリブ状部材６０との隙間に挟み込まれる。
【図面の簡単な説明】
【００３２】
【図１】本発明の実施形態に係るテレビジョン受像機の要部を示した分解斜視図である。
【図２】図１の要部の拡大斜視図である。
【図３】リブ状部材の拡大側面図である。
【図４】スピーカ取付構造の概略平面図である。
【図５】図４のＶ−Ｖ線に沿う部分の横断面図である。
【符号の説明】
【００３３】
１０  キャビネット
２０  フロントキャビネット
２１  フロントキャビネットの底板
２２  フロントキャビネットの側板
３０  リアキャビネット
４０  スピーカ
４１  スピーカの縁枠部
４２  スピーカの背板部
５０  凹所
５１  凹所の開放口
５２  凹所の周壁面
５３  押さえ突起
５４  突起要素
６０  リブ状部材
６１  幅寄せ片
６２  押さえ片
６３  段付部
７０  Ｘ軸方向位置決め手段
８０  Ｙ軸方向位置決め手段
９０  Ｚ軸方向位置決め手段
【図１】
2008294501.tif 000003
【図２】
2008294501.tif 000004
【図３】
2008294501.tif 000005
【図４】
2008294501.tif 000006
【図５】
2008294501.tif 000007